(57)【要約】      （修正有）【課題】安価な設備費、通信費で、３６５日２４時間常時接続することで監視能力を向上し、また外部から不正接続できないようにする。【解決手段】被監視側のカメラサイトと監視側のモニターサイト等の複数点間をＡＤＳＬ回線等のブロードバンド回線で接続構成して、相互間の音声、映像の両方若しくは一方をＩＰビデオフォンで送受信するように備えると共に、センサー信号、接点信号等の各種の制御信号をＩＰビデオフォンの音声に付加して送信し、複数点間において各種の制御信号を自由に送受信できるようにしたＩＰビデオフォンとブロードバンド回線による監視等用システムによって課題を解決した。【選択図】図２
2006094236.tif 000002
【特許請求の範囲】
【請求項１】
被監視側のカメラサイトと監視側のモニターサイト等の複数点間をＡＤＳＬ回線等のブロードバンド回線で接続構成して、相互間の音声、映像の両方若しくは一方をＩＰビデオフォンで送受信するように備えると共に、センサー信号、接点信号等の各種の制御信号を制御信号変換手段で一旦音声信号に変換し、該音声信号をＩＰビデオフォンの音声に付加して送信し、それを受信側で制御信号変換手段で再び制御信号に変換するように備えて、複数点間において各種の制御信号を自由に送受信できるように備えたものである、
ＩＰビデオフォンとブロードバンド回線、及び制御信号変換手段による監視等用システム。
【請求項２】
被監視側のカメラサイトと監視側のモニターサイトをブロードバンド回線で接続して構成したものであり、
被監視側のカメラサイトに、制御部（ＩＰビデオフォン、ビデオスイッチャー、制御信号変換手段等）、監視カメラ（１台以上）、集音マイク（１台以上）、センサー（無線・有線、熱・光・煙・振動等の感知）（１台以上）、ブロードバンド回線用モデム等を備え、
監視側のモニターサイトに、制御部（ＩＰビデオフォン、制御信号変換手段、コントロールパネル等）、モニターＴＶ、記録装置（ＶＴＲ、ＨＤ等）、ブロードバンド回線用モデム等を備えて、
被監視側のカメラサイトの制御部で、監視カメラと集音マイクの映像と音声はＩＰビデオフォンを介して、及び、センサー信号受信機で受けたセンサー信号は制御信号変換手段で音声信号に変換して、これらの映像、音声、制御信号をブロードバンド回線でモニターサイトへ自動送信し、
一方、監視側のモニターサイトの制御部の制御信号変換手段で受信した音声信号を接点信号に変換し警報手段（赤色灯、ブザー等）を起動して異常を報せ、
同制御部で、自動送信されてきた映像、音声をＩＰビデオフォンで受信して、モニターＴＶに映像、音声を送り、記録装置（ＶＴＲ、ＨＤ等）へ信号を送って記録及び切換設定(常時タイムラプスモード・標準時間モード等)を行い、
同制御部のスイッチ操作による接点信号を、制御信号変換手段で音声信号に変換して、その音声信号をブロードバンド回線で被監視側のカメラサイトに送信し、被監視側のカメラサイトは、受信した音声信号を制御信号変換手段で接点信号に変換し、カメラサイトのカメラ切換（手動・スポット、自動・シーケンス、自動切換時間の設定等）、カメラ操作（パン、チルト、ズーム等）を行うように備えたことを特徴とする、
ＩＰビデオフォンとブロードバンド回線、及び制御信号変換手段による監視用システム。
【請求項３】
本発明で使用するブロードバンド回線は、ＡＤＳＬ回線、光ファイバー回線、ＣＡＴＶ回線、その他将来使用が見込まれるブロードバンド回線であり、
制御信号変換手段は、各種制御信号を音声信号若しくは映像信号に変換してブロードバンド回線で送受信できるように変換するための、ＤＴＭＦ信号変換手段、ＦＳＫ信号変換手段等の各種制御信号変換手段である。
請求項２記載のＩＰビデオフォンとブロードバンド回線、及び制御信号変換手段による監視用システム。
【請求項４】
カメラサイトに通話用のマイク、スピーカ、及び呼出釦等を設置することにより、緊急通報システムを構築できるように備えたものである、
請求項２記載のＩＰビデオフォンとブロードバンド回線、及び制御信号変換手段による監視用システム。
【請求項５】
カメラサイトに記録装置（ＶＴＲ、ＨＤ等）を設置することにより、ブロードバンド回線が接続されていない状態でも、カメラサイトの状態を記録することができるように備えたものである、
請求項２記載のＩＰビデオフォンとブロードバンド回線、及び制御信号変換手段による監視用システム。
【発明の詳細な説明】
【技術分野】
【０００１】
本発明は、被監視側のカメラサイトと監視側のモニターサイト等の複数点間をＡＤＳＬ回線等のブロードバンド回線で接続構成して、相互間の音声、映像の両方若しくは一方をＩＰビデオフォンで送受信するように備えると共に、センサー信号、接点信号等の各種の制御信号を制御信号変換手段で一旦音声信号に変換し、該音声信号をＩＰビデオフォンの音声に付加して送信し、それを受信側で制御信号変換手段で再び制御信号に変換するように備えて、複数点間において各種の制御信号を自由に送受信できるように備えたものである、ＩＰビデオフォンとブロードバンド回線、及び制御信号変換手段による監視等用システムに係る。
【背景技術】
【０００２】
従来、被監視側のカメラサイトと監視側のモニターサイトで構成した監視システムはＩＳＤＮを使用していたため、３６５日２４時間常時接続していると多額の通信費（ＩＳＤＮ回線の回線使用料は基本的に従量制）が掛り、よって、営業時間、夜間等の設定時だけ稼動している場合が多かった。
【０００３】
稼動中でも、ＩＳＤＮ回線は通信速度が遅いため（例、６４ｋｂｐｓ）、映像（例、最大１５フレーム）がコマ撮りのようになって、正確な映像を見誤る欠点があった。
【０００４】
モニターサイトからカメラサイトの複数のカメラの切換えやレンズの制御を行う場合のためや、カメラサイトの異常信号（センサー等）をモニターサイトへ送る場合のために高価な専用の機器を必要としていた。
【０００５】
以上のごとく、従来の監視システムは多額の設備費と、多額の回線の使用・通信費を要する大きな課題があった。
【０００６】
更に、一般公衆回線（ＩＳＤＮ、ＡＤＳＬ等）の場合は、監視システムを稼動していないとき（接続していないとき）にダイヤルすれば、どこからでも自由に接続できるため、例えば、モニターサイトから接続しようとしたときに話中(不正接続)になってしまい接続できない場合が生じる大きな欠点があった。
【発明の開示】
【発明が解決しようとする課題】
【０００７】
解決しようとする課題は、
１．従来の監視システムのように、多額の設備費と、多額の回線の使用・通信費が掛からないようにすること、
２．従来の監視システムのように、多額の通信費が掛かるために営業時間、夜間等の設定時だけ稼動するのではなく、安価な通信費（ブロードバンド回線使用料は基本的に定額制）で、３６５日２４時間常時接続ができるようにして、監視能力を格段に向上すること、
３．監視システムに外部から不正接続できないようにすること、等である。
【課題を解決するための手段】
【０００８】
本発明は、被監視側のカメラサイトと監視側のモニターサイト等の複数点間をＡＤＳＬ回線等のブロードバンド回線で接続構成して、相互間の音声、映像の両方若しくは一方をＩＰビデオフォンで送受信するように備えると共に、センサー信号、接点信号等の各種の制御信号を制御信号変換手段で一旦音声信号に変換し、該音声信号をＩＰビデオフォンの音声に付加して送信し、それを受信側で制御信号変換手段で再び制御信号に変換するように備えて、複数点間において各種の制御信号を自由に送受信できるように備えたものである、ＩＰビデオフォンとブロードバンド回線、及び制御信号変換手段による監視等用システムによって課題を解決したものである。
【０００９】
また、本発明は、被監視側のカメラサイトと監視側のモニターサイトをブロードバンド回線で接続して構成したものであり、
【００１０】
被監視側のカメラサイトに、制御部（ＩＰビデオフォン、ビデオスイッチャー、制御信号変換手段等）、監視カメラ（１台以上）、集音マイク（１台以上）、センサー（無線・有線、熱・光・煙・振動等の感知）（１台以上）、ブロードバンド回線用モデム等を備え、
【００１１】
監視側のモニターサイトに、制御部（ＩＰビデオフォン、制御信号変換手段、コントロールパネル等）、モニターＴＶ、記録装置（ＶＴＲ、ＨＤ等）、ブロードバンド回線用モデム等を備えて、
【００１２】
被監視側のカメラサイトの制御部で、監視カメラと集音マイクの映像と音声はＩＰビデオフォンを介して、また、センサー信号受信機で受けたセンサー信号は制御信号変換手段で音声信号に変換して、これらの映像、音声、制御信号をブロードバンド回線でモニターサイトへ自動送信し、
【００１３】
一方、監視側のモニターサイトの制御部の制御信号変換手段で受信した音声信号を接点信号に変換し警報手段（赤色灯、ブザー等）を起動して異常を報せ、
【００１４】
同制御部で、自動送信されてきた映像、音声をＩＰビデオフォンで受信して、モニターＴＶに映像、音声を送り、記録装置（ＶＴＲ、ＨＤ等）へ信号を送って記録及び切換設定(常時タイムラプスモード・標準時間モード等)を行い、
【００１５】
同制御部のスイッチ信号を音声信号に変換してカメラサイトへ送りそこで再びスイッチ信号に変換しビデオスイッチャーを操作してカメラ切換（手動・スポット、自動・シーケンス、自動切換時間の設定等）、カメラ操作（パン、チルト、ズーム等）を行うように備えた、ＩＰビデオフォンとブロードバンド回線、及び制御信号変換手段による監視用システムによって課題を解決したものである。
【発明の効果】
【００１６】
ブロードバンド回線は通信費（ブロードバンド回線の回線使用料は基本的に定額制）が安価であるため通信費が削減でき、よって、常時接続使用が可能となり、常時接続回線であるため、監視システムを２４時間３６５日常時接続稼動して、２４時間３６５日常時の監視(映像、音声、センサー感知（無線・有線、熱・光・煙・振動等の感知）)ができる多大の効果がある。
【００１７】
従来使用していたＩＳＤＮ回線は通信速度が遅いため（６４ｋｂｐｓ）、映像（例、最大１５フレーム）がコマ撮りのようになって、正確な映像を見誤る欠点があったが、本発明が使用するブロードバンド回線は通信速度が速いため、例えばＡＤＳＬ回線は現在でも３０フレームの伝送ができ、よって、連続映像が格段に鮮明となって、見落す恐れがない。
【００１８】
従来は、モニターサイトからカメラサイトの複数のカメラの切換えやレンズの制御を行う場合のためや、カメラサイトの異常信号（センサー等）をモニターサイトへ送る場合のために高価な専用の機器を必要として、多額の設備費を要する大きな課題があったが、
本発明は、通信費の安いブロードバンド回線を使用すると共に、民生用で安価なＩＰビデオフォンをはじめとして全て市販で安価な監視カメラ、集音マイク、各種センサー、制御信号変換手段等で構成したので、従来に比し格段に安価な設備費で済む多大の経済的利点がある。
【００１９】
従来使用していたＩＳＤＮ回線等の一般公衆回線は、接続していないときにダイヤルすれば、どこからでも接続(不正接続)できる大きな欠点があったが、本発明は制御信号変換手段を使用しているので、回線接続開始時、カメラサイト側であらかじめ設定された制御信号によるコードを受信できなかった場合、数秒後に回線を切断するように設定することによって、不正接続を有効に防止し得る。
【発明を実施するための最良の形態】
【００２０】
被監視側のカメラサイトに、制御部（ＩＰビデオフォン、ビデオスイッチャー、制御信号変換手段等）、監視カメラ（１台以上）、集音マイク（１台以上）、センサー（無線・有線、熱・光・煙・振動等の感知）（１台以上）、ＡＤＳＬモデム等を備える一方、監視側のモニターサイトに、制御部（ＩＰビデオフォン、制御信号変換手段、コントロールパネル等）、モニターＴＶ、記録装置（ＶＴＲ、ＨＤ等）、ＡＤＳＬモデム等を備え、上記のカメラサイトとモニターサイトをブロードバンド回線で接続して構成した、ＩＰビデオフォンとブロードバンド回線による監視システム。
【実施例】
【００２１】
図１は実施例カメラサイトの、制御部とセンサー信号受信機の正面図、図２は実施例の説明図で、カメラサイトのシステムブロック図、図３は実施例モニターサイトの、制御部の正面図、図４は実施例の説明図で、モニターサイトのシステムブロック図である。
【００２２】
以下、図１〜図４によって、本発明装置の実施例を説明すると、
本発明は、被監視側のカメラサイト１に、制御部２（ＩＰビデオフォン３、ビデオスイッチャー６、制御信号変換手段４等）、監視カメラ５（１台以上）、集音マイク７（１台以上）、センサー８（無線、熱感知等）（１台以上）、センサー信号受信機９、記録装置１０（ＶＴＲ、ＨＤ等）、モニターＴＶ１１、ＡＤＳＬモデム１２等を備え、（図２参照）
【００２３】
監視側のモニターサイト１３に、制御部１４（ＩＰビデオフォン１５、制御信号変換手段１６、コントロールパネル１７等）、モニターＴＶ１８、記録装置１９（ＶＴＲ、ＨＤ等）、ＡＤＳＬモデム２０等を備えて、（図２参照）
【００２４】
上記の被監視側のカメラサイト１と監視側のモニターサイト１３をブロードバンド回線で接続して構成したものであり、
【００２５】
被監視側のカメラサイト１の制御部２で、監視カメラ５と集音マイク７の映像と音声はＩＰビデオフォン３を介して、及び、センサー信号受信機９で受けたセンサー信号は制御信号変換手段４で制御信号に変換して、これらの映像、音声、制御信号をブロードバンド回線でモニターサイト１３へ自動送信し、
【００２６】
一方、監視側のモニターサイト１３の制御部１４の制御信号変換手段１６で受信した音声信号を接点信号に変換し警報手段２１（赤色灯、ブザー等）を起動して異常を報せ、
【００２７】
同制御部１４で、自動送信されてきた映像、音声をＩＰビデオフォン１５で受信して、モニターＴＶ１８に映像、音声を送り、記録装置１９（ＶＴＲ、ＨＤ等）へ信号を送って記録及び切換設定(常時タイムラプスモード・標準時間モード等)を行い、
【００２８】
同制御部１４のコントロールパネル１７のスイッチ操作でカメラサイト１のビデオスイッチャー６を操作してカメラ５切換（手動・スポット、自動・シーケンス、自動切換時間の設定等）、カメラ５操作（パン、チルト、ズーム等）を行うように備えた、ＩＰビデオフォンとブロードバンド回線による監視システムである。
【００２９】
必要に応じ、監視側のモニターサイトにＬＡＮ２２（サーバ２３、ＨＵＢ２４）を構成する。
【００３０】
必要に応じ、カメラサイト１にメンテナンス用のモニターＴＶ１１、ハンドセット２５（ＩＰビデオフォン）を備え、また、モニターサイト１３にメンテナンス用のハンドセット２６（ＩＰビデオフォン）を備える。
【００３１】
被監視側のカメラサイトのセンサーが異常を感知すると、監視側のモニターサイトに送信している映像と音声を、センサーが感知したカメラとマイクに切り替える。
【００３２】
同時に、ＤＴＭＦ等の制御信号変換手段で制御信号を送信し、モニターサイトの記録装置の記録設定がタイムラプスモードから標準時間モードに切り替わり、警報手段が異常を知らせる。
【００３３】
モニターサイトでは、ブザー停止釦を押し、警報を止め、モニターＴＶでセンサーが感知したモニター映像と音声を確認する。
また、制御信号変換手段で制御信号を送信し、カメラ切替やカメラ操作を行い、カメラサイトの異常を確認する。
【００３４】
確認が完了したら、復旧釦を押す。
復旧釦を押すと、記録装置の記録設定が標準モードからタイムラプスモードに切り替わる。
【００３５】
センサーが感知しない場合でも、モニターサイトからのカメラ切替、カメラ操作で、カメラサイトの映像と音声を確認できる。
【００３６】
下記の表１は、出願時における、ＩＳＤＮ回線とブロードバンド回線の１例であるＡＤＳＬ回線の諸元を対比して表したものである。
【表１】
2006094236.tif 000003
【産業上の利用可能性】
【００３７】
本発明は、複数点間、例えば、１以上の被監視側のカメラサイトと１以上の監視側のモニターサイトの間をブロードバンド回線で接続構成すると共に、ＩＰビデオフォン、各種の制御信号を音声信号に変換する制御信号変換手段を使用して映像、音声、及び各種の制御信号を、複数点相互間で自由に送受信できるように構成したことを技術的構成要件とする監視等用システムを提供するものであり、
よって、カメラサイトとモニターサイトに限らず複数点相互間をブロードバンド回線で接続し、ＩＰビデオフォン、制御信号変換手段を使用して映像、音声、制御信号等を送受信する構成のシステムであれば、監視用に限定されることなく、全て本発明の技術的範囲に包含する汎用性を有する発明である。
【図面の簡単な説明】
【００３８】
【図１】実施例カメラサイトの、制御部とセンサー信号受信機の正面図。
【図２】実施例の説明図で、カメラサイトのシステムブロック図。
【図３】実施例モニターサイトの、制御部の正面図。
【図４】実施例の説明図で、モニターサイトのシステムブロック図。
【符号の説明】
【００３９】
１    カメラサイト
２    制御部
３    ＩＰビデオフォン（制御部）
４    制御信号変換手段（制御部）
５    監視カメラ
６    ビデオスイッチャー（制御部）
７    集音マイク
８    各種センサー
９    センサー信号受信機
１０  記録装置（ＶＴＲ、ＨＤ等）
１１  モニターＴＶ（メンテナンス用）
１２  ＡＤＳＬモデム
１３  モニターサイト
１４  制御部
１５  ＩＰビデオフォン（制御部）
１６  制御信号変換手段（制御部）
１７  コントロールパネル（制御部）
１８  モニターＴＶ
１９  記録装置（ＶＴＲ、ＨＤ等）
２０  ＡＤＳＬモデム
２１  警報手段（赤色灯、ブザー等）
２２  ＬＡＮ
２３  サーバ
２４  ＨＵＢ
２５  ハンドセット（メンテナンス用）
２６  ハンドセット（メンテナンス用）
【図１】
2006094236.tif 000004
【図２】
2006094236.tif 000005
【図３】
2006094236.tif 000006
【図４】
2006094236.tif 000007